(57)【特許請求の範囲】
【請求項１】
種々の断面形状が選択でき且つ棒状である複数の異なった色の軽量粘土を押出成形し同一寸法に切断して並列に並べ各粘土間に上からプラスチック製のフィルム又はシートの仕切材で仕切りカバーをした後、包装用フィルムを被覆し中央及び両端部を熱溶着してピロー包装することを特徴とする軽量粘土の包装方法。
【発明の詳細な説明】
【０００１】
【発明の属する技術分野】
本発明は複数の色を有する手工芸用軽量粘土の包装方法に係るものである。
【０００２】
【従来の技術】
従来軽量粘土に限らず油粘土の様な極めて固い粘土を除いて一般の粘土でも複数の色粘土を包装用フィルムなどで一緒に包装するのは困難であった。粘土同士が接触することによって他の色が付着してしまうからである。
【０００３】
粘土に他の色の粘土が付着すると、粘土創作において創作者の意図する色を正確に表現することが出来なくなるのである。
【０００４】
色彩の３原色である黄、紅、青の３原色に黒と白及び各種任意の色で構成されている軽量粘土を、混ぜ合わせて任意の色を表出して作品を創作するためには粘土同士が接触して他の色が多少でも付着することは、色彩を厳しく表現することができ難くなるため軽量粘土は各色毎に別々に包装していたのである。
【０００５】
【発明が解決しようとする課題】
本発明はこのような事情に鑑みなされたもので、複数の色を有する軽量粘土を互いに接触することなく包装用フィルムで一緒に包装する方法である。
【０００６】
【課題を解決するための手段】
本発明は、種々の断面形状が選択でき且つ棒状である複数の異なった色の軽量粘土を押出成形し、これらを同一寸法に切断して並列に並べ各粘土間に上からプラスチック製のフィルム又はシートの仕切材で仕切りカバーをした後、包装用フィルムを被覆し中央及び両端部を熱溶着してピロー包装することを特徴とする軽量粘土の包装方法である。
【０００７】
【発明の実施の形態】
本発明の包装方法によって包装する軽量粘土とは、粘土の主構成材に例えば無機系又は有機系の軽量骨材であるセラミックバルーン、ガラスマイクロバルーン、シラスバルーン、シリカバルーン、フライアッシュバルーン、アルミノシリケートバルーン、粉末パーライト、バーミキュライト焼成物、ヒアロプサイト焼成物等の無機質発泡体、無機系多孔質粉体、フェノール樹脂、ウレタン樹脂、ポリエチレン樹脂、ポリスチレン樹脂等の有機質微小発泡体、塩化ビニリデン、アクリロニトリル、メタクリロニトリル、アクリル酸エステル、酢酸ビニル、架橋スチレン−アクリル、セルロース、ナイロン、フェノール等の微小中空体等に、パルプ繊維等の繊維分、無機質粉体又は有機質粉体、糊剤、これに顔料と水を加えた粘土や、繊維分に顔料を加えて着色させた紙粘土、オーブン粘土、パン粘土等である。これらの粘土は、いずれも軽量でその比重は０．１〜１．３ｇ／ｃｍ３の範囲である。
【０００８】
軽量粘土は顔料が添加された３原色である黄、紅、青の他黒と白その他任意の色がありこれらの色を混合することによって自由に色を表現することができるものである。
【０００９】
これら複数の異なった色の軽量粘土は押出成形機によって別個に押出成形されこれらを定位置に送って同一寸法に切断する。
【００１０】
押出成形される軽量粘土の断面形状は種々選択することができる。例えば円形、正方形、六角形、八角形、花びらの形状をした断面など多数の形状があり、同じ形状で複数の色の軽量粘土を同一の包装袋に入れることにより、個別に包装する手間を省くと共に外観的にも商品価値を高めることができ、その上使用者にとっても非常に便利である。
【００１１】
しかしこの軽量粘土は黄、紅、青の３原色と黒及び白その他任意の色があり、各々の粘土が包装袋の中で互いに接触し他の色が付着することは混色して色彩の表現をする上で好ましくない。
【００１２】
このため押出成形され同一寸法で並列に並んだ各色の軽量粘土の間に上からプラスチック製のフィルム又はシートなどの仕切材によって各色の粘土同士が接触しないように仕切りカバーをする。
【００１３】
この仕切材による仕切りカバーをした後、包装用フィルムを被覆して包装の中央である縦方向及び両端部を熱溶着してピロー包装する。
【００１４】
仕切材に使用するプラスチック製のフィルム又はシートは、軽量粘土との剥離性に優れていることが必要であり、例えばポリエチレン、ポリスチレン、ポリプロピレン、テトラフロロエチレン（テフロン）、３ふっ化エチレン、６ふっ化プロピレン−４ふっ化共重合、ポリふっ化ビニルなどは摩擦係数が少なくスリップ性も良好で、吸水率、透湿度、ガス透過性も少ないため好適に使用できる。
【００１５】
包装袋に使用する包装用フィルムは、印刷性が要求されると共に熱溶着（熱シール）のできるものでなくてはならない。その上溶着し熱を除去した後要求する形状の保持ができるもので、例えばポリエチレンフィルム、セロファンにポリエチレンをラミネートしたポリセロ、ポリエチラミネートポリエステルフィルム、コーテッドポリプロピレンフィルムなどが使用できる。
【００１６】
仕切材によって各粘土間に上面から仕切りカバーをした後並列に並んだ複数個の粘土の上又は下に包装用フィルムを載置又は敷設し左右の端部を下面又は上面で重ね合わせ、重ね合わせ面を熱溶着して接着し、次に粘土の上下端の両端部も同様に熱溶着して正ピロー包装又は逆ピロー包装する。
【００１７】
軽量粘土を包装する方法として、黄、紅、青の３原色のみ入れる場合、これに黒又は白を入れて４種類の軽量粘土を入れる場合、さらに黒及び白共入れて５種類の軽量粘土を入れる場合、各種の色を取り混ぜて１０色位の軽量粘土を入れる場合などがある。また長さも３０ｍｍ程度の短い場合から２００ｍｍ程度の長い場合などがある。
【００１８】
【実施例】
実施例について説明する。
【００１９】
実施例  ３原色である黄、紅、青と黒及び白５種類の円形断面の軽量粘土を扇形に配置した５台の別々の押出成形機によって押出して、押出成形した５種類の軽量粘土を各々１００ｍｍに切断し扇形の中央に搬送し並列に並べた。
【００２０】
並列に並べた５種類の軽量粘土の間に厚さ０．１ｍｍのポリプロピレン製仕切材を粘土の上面にかぶせて、各粘土間の接触を不能とした。この軽量粘土の上に厚さ０．７ｍｍのポリセロ製包装用フィルムを載置し左右の端部を軽量粘土の下面で重ね合わせ重ね合わせ面を熱溶着した。次に軽量粘土の上下端両端部の重ね合わせ面も熱溶着し５種類の軽量粘土を同一包装袋で正ピロー包装した。
【００２１】
【発明の効果】
以上の如く本発明に成る軽量粘土の包装方法によると各種断面形状で各々色が異なり棒状に押出成形された軽量粘土を互いに接触することなく同一の包装袋に容易且つ外観良く包装することを可能とすることができたのである。
【図面の簡単な説明】
【図１】包装された軽量粘土斜視図
【図２】軽量粘土製造概念図
【図３】軽量粘土間に仕切りカバーをした形態を示す断面図
【図４】包装用フィルムを上に載置した断面図
【図５】包装用フィルムで正ピロー包装した断面図
【図６】包装用フイルムを下に敷設した断面図
【図７】包装用フイルムで逆ピロー包装した断面図
【図８】軽量粘土間に仕切りカバーをした他の例を示す断面図１
【図９】軽量粘土間に仕切りカバーをした他の例を示す断面図２
【符号の説明】
１．包装袋
２．熱溶着部
３．軽量粘土
４．押出成形機
５．搬送装置
６．仕切材
７．包装用フィルム
３１．軽量粘土
３２．軽量粘土
６１．仕切材
６２．仕切材
【図１】
0004292489.tif 000002
【図２】
0004292489.tif 000003
【図３】
0004292489.tif 000004
【図４】
0004292489.tif 000005
【図５】
0004292489.tif 000006
【図６】
0004292489.tif 000007
【図７】
0004292489.tif 000008
【図８】
0004292489.tif 000009
【図９】
0004292489.tif 000010